(57)【要約】  壁紙を支持するための第１の面と、前記第１の面から延在している第１および第２の側面とを有している壁紙支持部材と、前記第１および第２の側面にそれぞれ連結されている第１および第２のクランプとを備えている壁紙貼付装置であって、各クランプは、少なくとも１つの締付板を備えており、前記２つのクランプの前記各締付板は、前記第１の面上で互いに内方に延在しており、各クランプは、前記締付板が前記第１の面から離れている開位置と、前記締付板が前記第１の面に当接して、前記第１の面と前記締付板との間に壁紙を締め付ける閉位置との間を移動するようになっている壁紙貼付装置。【選択図】図２
2016523320.tif 000002
【特許請求の範囲】
【請求項１】
壁紙を支持するための第１の面と、前記第１の面から延在している第１および第２の側面とを有している壁紙支持部材と、
前記第１および第２の側面にそれぞれ連結されている第１および第２のクランプとを備えている壁紙貼付装置であって、各クランプは、少なくとも１つの締付板を備えており、前記２つのクランプの前記各締付板は、前記第１の面上で互いに内方に延在しており、各クランプは、前記締付板が前記第１の面から離れている開位置と、前記締付板が前記第１の面に当接して、前記第１の面と前記締付板との間に壁紙を締め付ける閉位置との間を移動するようになっていることを特徴とする壁紙貼付装置。
【請求項２】
前記第１の面は、互いに離間している、少なくとも２つの小区画に分割されていることを特徴とする、請求項１に記載の壁紙貼付装置。
【請求項３】
各クランプは、それを支持する側面に枢動可能に連結されて、前記各締付板が、開位置と閉位置との間を枢動可能に移動するようになっていることを特徴とする、請求項１または２に記載の壁紙貼付装置。
【請求項４】
各クランプは、それを支持する側面に摺動可能に連結されて、前記各締付板が、開位置と閉位置との間を摺動可能に移動するようになっていることを特徴とする、請求項１または２に記載の壁紙貼付装置。
【請求項５】
前記各クランプは、開位置と閉位置との間で前記各クランプを移動させるための共通ハンドルに連結されていることを特徴とする、請求項１〜４のいずれか１項に記載の壁紙貼付装置。
【請求項６】
前記第１の面は、湾曲していることを特徴とする、請求項１〜５のいずれか１項に記載の壁紙貼付装置。
【請求項７】
前記第１の面は、少なくとも２つの平面部を備えており、前記各平面部は、互いに傾斜していることを特徴とする、請求項１〜５のいずれか１項に記載の壁紙貼付装置。
【請求項８】
前記各側面は、前記第１の面と直交していることを特徴とする、請求項１〜７のいずれか１項に記載の壁紙貼付装置。
【請求項９】
少なくとも１つのクランプは、前記第１の面に当接するようになっている複数の締付板を備えていることを特徴とする、請求項１〜８のいずれか１項に記載の壁紙貼付装置。
【請求項１０】
前記壁紙支持部材に連結されているハンドルを備えていることを特徴とする請求項1〜９のいずれかに記載の壁紙貼付装置。
【請求項１１】
前記各クランプは、前記閉位置において、付勢されることを特徴とする、請求項１〜１０のいずれか１項に記載の壁紙貼付装置。
【請求項１２】
実質的に上記して説明した壁紙貼付装置。
【請求項１３】
実質的に図面を参照して上記説明した壁紙貼付装置。
【発明の詳細な説明】
【技術分野】
【０００１】
本発明は、壁紙貼付装置に関する。特に、本発明は、壁紙を支持するための第１の面と、第１の面から延在している各側面に連結されているクランプとを備えている壁紙貼付装置であって、各クランプは、締付板を備えており、この締付板は、第１の面から離れている開位置と、第１の面に当接して、締付板と第１の面との間に壁紙を締め付ける閉位置との間を移動するようになっている壁紙貼付装置（但し、これに限定されるものではない）に関する。
【背景技術】
【０００２】
複数枚の縦長の壁紙材を貼ることが容易ではない場合があることは周知である。このことは、特に、壁紙貼りをする人よりも、壁が高い位置にあるときにそうである。この場合の作業手順は、かなり複雑なものとなる。壁紙貼りをする人は、まず、壁紙の片面に糊を塗布し、次に、壁紙を蛇腹状に折り畳む。次に、壁紙貼りをする人は、折り畳んだ壁紙を片手に持ちながら、はしごを登り、壁紙の端部を、壁の最上部に当接させる。次いで、壁紙貼りをする人は、ゆっくり、壁紙を広げるとともに、壁紙にブラシをかけて、壁に当接させながら、はしごを降りる。壁紙を貼ったことがある人は、誰でもよく知っているように、この作業には、高度な手先の器用さが必要である。さらに、はしごを使用しなければならないので、安全上の問題もある。
【０００３】
この問題の少なくとも一部を克服する装置は公知であり、特に、長い棒材の端部にクランプを備えている装置が知られている。クランプにより、壁紙の端部を締め付ける。次いで、クランプを、棒材によって持ち上げ、壁紙の端部を、壁に押し当てるが、その間中ずっと、壁紙貼りをする人は、地上にいるままである。しかし、このような装置においては、壁紙は、クランプに固定された状態で保持される。クランプを上昇させると、壁紙は、隣接する壁紙と正確に位置合わせされないことがある。例えば、壁紙に模様がある場合、壁紙の模様は、隣接する壁紙の模様と正確に位置合わせされないことがある。この場合、壁紙貼りをする人は、装置を下降させ、壁紙をわずかに移動させて、再度作業しなければならない。多くの場合、この作業を数回行う必要がある。
【発明の概要】
【発明が解決しようとする課題】
【０００４】
本発明による装置は、従来技術における問題点を克服しようとするものである。
【課題を解決するための手段】
【０００５】
本発明は、新規な壁紙貼付装置を提供するものであり、この装置は、
壁紙を支持するための第１の面と、前記第１の面から延在している第１および第２の側面とを有する壁紙支持部材と、
前記第１および第２の側面にそれぞれ連結されている第１および第２のクランプとを備えているものであって、各クランプは、少なくとも１つの締付板を備えており、前記２つのクランプにおける前記各締付板は、前記第１の面上で互いに内方に延在しており、かつ各クランプは、前記締付板が前記第１の面から離れている開位置と、前記締付板が前記第１の面に当接して、前記第１の面と前記締付板との間に壁紙を締め付ける閉位置との間を移動するようになっていることを特徴とする。
【０００６】
本発明による壁紙貼付装置は、各クランプが、壁紙を支持する第１の面ではなく、各側面に連結されているために、利点を有している。各クランプを開位置に移動させ、壁紙をわずかに移動させて、隣接する壁紙と位置合わせした後、各クランプを閉じることができるが、その間中ずっと、装置は、壁に当接して適切な位置にある。
【０００７】
前記第１の面は、互いに離間している、少なくとも２つの小区画に分割することができる。
【０００８】
各クランプは、それを支持する側面に枢動可能に連結することができ、前記各締付板が、開位置と閉位置との間を枢動可能に移動するようになっている。
【０００９】
代替例として、各クランプは、それを支持する側面に摺動可能に連結することができ、前記各締付板が、開位置と閉位置との間を滑動可能に移動するようにする。
【００１０】
前記各クランプは、開位置と閉位置との間で、前記各クランプを移動させるための共通ハンドルに連結されているのが好ましい。
【００１１】
前記第１の面は、湾曲させたものとすることができる。
【００１２】
代替例として、前記第１の面は、少なくとも２つの平面部を備えることができ、前記各平面部は、互いに傾斜しており、好ましくは９０度傾斜している。
【００１３】
前記各側面は、前記第１の面と直交しているのが好ましい。
【００１４】
少なくとも１つのクランプは、前記第１の面に当接するようになっている複数の締付板を備えていることが好ましい。
【００１５】
本発明による壁紙貼付装置は、さらに、前記壁紙支持部材に連結されているハンドルを備えていることがある。
【００１６】
前記各クランプは、前記閉位置において、付勢されているのが好ましい。
【図面の簡単な説明】
【００１７】
【図１】公知の壁紙貼付装置を示す斜視図である。
【図２】本発明による装置の第１の実施形態を示す斜視図である。
【図３（ａ）】図２の実施形態のクランプの１つの動作を示す側面図である。
【図３（ｂ）】図２の実施形態のクランプの別の動作を示す側面図である。
【図４】作動時の図２の装置を示す図である。
【図５】本発明による装置の他の実施形態の壁紙支持部材の一部を示す図である。
【図６】本発明による装置の他の実施形態の壁紙支持部材の一部を示す図である。
【図７】本発明による装置の他の実施形態の壁紙支持部材の一部を示す図である。
【発明を実施するための形態】
【００１８】
添付図面を参照して、限定的な意味ではなく、単なる例示として、本発明を説明する。
【００１９】
図１は、公知の壁紙貼付装置１を示す。壁紙貼付装置１は、壁紙を支持するための第１の面３を有する壁紙支持部材２を備えている。壁紙支持部材２には、壁紙支持部材２を壁の最上部に上昇させるための長い棒材４が連結されている。第１の面３には、第１および第２のクリップ５，６が配置されている。
【００２０】
使用時、壁紙７には、糊が塗布され、糊面を上にして、第１の面３に配置される。壁紙７は、図示のように、壁紙７の端部をクリップ５，６に挿入することによって、適所に保持される。次に、第１の面３は、壁の最上部まで押し上げられ、壁紙は、壁に押し当てられる。その後、垂れ下がる壁紙は、壁紙貼りブラシがかけられて、壁の適所に貼り付けられる。
【００２１】
このような装置における問題点は、壁紙７の位置が、壁紙支持部材２に対して、容易に調整できないことである。例えば、壁紙７が貼られたとき、それが、隣接する壁紙の模様と正確に位置合わせされていないことが分かった場合、装置１を下降させなければならない。壁紙７の端部を切断し、その後、壁紙７を装置１に再連結する。そして、壁紙貼りをする人は、再度、壁紙７の貼り付けを試みる。これは、多くの場合、壁紙７が、隣接する壁紙に対して正確に位置合わせされるまで、何度も繰り返さなければならない。このことは、不便であり、かつ多くの時間を要する。
【００２２】
図２は、本発明による壁紙貼付装置１０の第１の実施形態を示す斜視図である。壁紙貼付装置１０は、壁紙１３を支持するための第１の面１２を有している壁紙支持部材１１を備えている。第１の面１２は、下縁１４および上縁１５を有している。壁紙１３は、図示のように、下縁１４から上縁１５に延びている。
【００２３】
図示のように、第１の面１２から、第１および第２の側面１６，１７が延在している。第１および第２の側面１６，１７は、第１の面１２とほぼ直交している。
【００２４】
図示のように、側面１６，１７の各々には、第１および第２のクランプ１８，１９が連結されている。各クランプ１８，１９は、側面１６，１７に枢動可能に連結されている支持アーム２０，２１を備えている。各支持アーム２０，２１は、これらから延在している締付板２２，２３を有している。２つの締付板２２，２３は、図示のように、第１の面１２上で互いに内方に延在している。各締付板２２，２３は、第１の面１２に隣接し、かつ、第１の面１２に対して平行になるように配置されている。２つの支持アーム２０，２１は、共通ハンドル２４によって、互いに連結されている。また、各支持アーム２０，２１から、スペーサアーム２５，２６が延在している。その機能については、後述する。
【００２５】
また、壁紙支持部材１１には、壁紙貼付装置１０を壁の最上部に持ち上げるための棒材２７が連結されている。
【００２６】
図３（ａ）および図３（ｂ）を参照して、クランプ１８，１９の動作を示す。図３（ａ）は、クランプ１９が開位置にある状態を示す。この位置では、締付板２３は、図示のように、第１の面１２からわずかに離れている。支持アーム２１が枢軸２８を中心として枢動するにつれて、締付板２３は、図３（ｂ）に示すように、第１の面１２に当接する。この位置では、クランプ１９は、閉位置にある。クランプ１９は、ばね等（図示せず）によって付勢されて、閉位置になることが好ましい。
【００２７】
次に、図２を参照して、装置１０の動作を説明する。第１の工程で、壁紙１３の、片面に糊を塗布する。共通ハンドル２４を移動させて、支持アーム２０，２１を枢動させ、締付板２２，２３を第１の面１２から持ち上げる。次に、壁紙１３を、図示のように、第１の面１２に配置し、クランプ１８，１９は、閉位置に枢動され、壁紙１３を適所に把持する。
【００２８】
次に、装置１０を、壁の最上部に持ち上げ、第１の面１２の下縁１４の壁紙１３は、壁に押し当てられる。壁紙支持部材１１から離れている棒材２７の底部が、床上の所定の位置に固定されているので、壁紙貼りをする人は、装置１０をそのままにしておくことができる。棒材２７の底端にばね負荷をかけて、棒材２７を圧縮状態に保つことができる。その後、壁の近くに垂れ下がる壁紙１３に、ブラシをかけて、壁に接触させる。図４は、この位置の装置１０を示す。２つのスペーサアーム２５，２６の各端部も、図示のように、壁に当接して、第１の面１２の方向は、壁に対して正確に合せられる。この実施形態では、第１の面１２は、その方向が正確に合せられると、壁に対して、４５度傾斜している。
【００２９】
一旦、壁紙を壁に正確に接着すると、クランプ１８，１９を、枢動させて、開状態とし、装置１０を取り外す。そして、壁紙１３の最上部を、壁に接着し、正確な長さに切断する。
【００３０】
従来技術の装置の場合のように、壁紙は、隣接する壁紙と正確に位置合わせされないことがある。この場合、ハンドル２４をわずかに移動させて、クランプ１８，１９を、開位置に向けて、わずかに枢動させる。すると、壁紙貼りをする人は、下方から壁紙１３を引っ張ることができる。壁紙１３は、第１の面１２に沿って、上縁１５から下縁１４に向かって摺動する（矢印で示すように）。一旦、壁紙１３が、隣接する壁紙に対して、正確な位置になると、ハンドル２４は解除され、クランプ１８，１９は、閉位置に戻り、壁紙１３を、第１の面１２に対して固定した位置に締め付ける。そして、装置１０から垂れ下がる壁紙を、従前のように、壁に接着させることができる。
【００３１】
クランプ１８，１９が、第１の面１２の側面１６，１７で、支持部材１１に連結され、第１の面１２上で互いに内方に延在しているので、このような壁紙の調整が可能である。クランプ１８，１９が開位置にあるとき、壁紙１３は、クランプ１８，１９に妨げられずに、第１の面１２上を自由に移動する。
【００３２】
図５に、本発明による壁紙貼付装置１０の他の実施形態における壁紙支持部材１１の一部を示す。この実施形態では、第１の面１２は、互いに離間している、２つの小区画に分割されており、このうち１つのみを示してある。各小区画は、互いに対向している側面１６，１７に隣接している。下縁１４は、図示のように、２つの側面１６，１７間に延在し、壁紙１３を押圧して、壁に接触させる。
【００３３】
図６は、本発明の他の実施形態の壁紙支持部材１１の一部を示す。この実施形態では、各クランプ１８，１９は、壁紙支持部材１１に摺動可能に連結されている。締付板２２，２３は、開位置と閉位置との間を摺動可能である。
【００３４】
図７は、本発明の他の実施形態の壁紙支持部材１１の一部を示す。この実施形態では、スペーサアーム２５，２６は、支持アーム２０，２１から延在しているのではなく、第１および第２の側面１６，１７に固定連結されている。
【００３５】
垂直な壁に、複数枚の縦長の壁紙を貼る場合を取り上げて、装置１０の動作を説明してきた。装置１０を用いて、前記方向に対して垂直に（すなわち、一方のクランプから他方のクランプに）、壁紙１３を第１の面１２上に供給することによって、壁紙を水平に貼ることもできる。装置１０を用いて、壁紙を天井に貼ることもできる。
【００３６】
本発明の他の実施形態（図示せず）では、第１の面１２は、互いに対して９０度傾斜している２つの平面部を備えている。各クランプ１８，１９は、２つの締付板２２，２３を備えている。クランプ１８，１９を閉位置に枢動させると、各締付板２２，２３は、平面部の１つに当接する。
【００３７】
本発明の他の実施形態では、第１の面１２は、湾曲している。
【符号の説明】
【００３８】
１  壁紙貼付装置
２  壁紙支持部材
３  第１の面
４  棒材
５，６  クリップ
７  壁紙
１０  壁紙貼付装置
１１  壁紙支持部材
１２  第１の面
１３  壁紙
１４  下縁
１５  上縁
１６  第１の側面
１７  第２の側面
１８  第１のクランプ
１９  第２のクランプ
２０，２１  支持アーム
２２，２３  締付板
２４  ハンドル
２５，２６  スペーサアーム
２７  棒材
２８  枢軸
【図１】
2016523320.tif 000003
【図２】
2016523320.tif 000004
【図３（ａ）】
2016523320.tif 000005
【図３（ｂ）】
2016523320.tif 000006
【図４】
2016523320.tif 000007
【図５】
2016523320.tif 000008
【図６】
2016523320.tif 000009
【図７】
2016523320.tif 000010
【国際調査報告】
2016523320.tif 000011
2016523320.tif 000012
2016523320.tif 000013
2016523320.tif 000014